(57)【要約】  【課題】  テンキー装置を備えた集合玄関機において、組立作業を容易にすることができる様にし、施工作業及びメンテナンス作業を容易にすることができる様にする。  【解決手段】  本体３と、該本体３に取り付けらるカバー２と、テンキー装置とを備えた集合玄関機１において、該テンキー装置のキートップ６を、該テンキー装置の本体５より分離して設けると共に、該集合玄関機カバー２の裏面２ｂ側に取り付ける。  【選択図】  図１
2006286426.tif 000002
【特許請求の範囲】
【請求項１】
本体と、該本体に取り付けらるカバーと、テンキー装置とを備えた集合玄関機において、
該テンキー装置のキートップを、該テンキー装置本体より分離して設けると共に、該集合玄関機カバーの裏面側に取り付けたことを特徴とする集合玄関機。
【請求項２】
該キートップは、その押動範囲を制限する制限手段を有するものであることを特徴とする請求項１記載の集合玄関機。
【請求項３】
該キートップは、その裏面側に押動部を有し、該押動部を介して該テンキー装置本体の受動部を押動するものであり、該押動範囲の制限手段は、該押動部の押動範囲を制限するものであることを特徴とする請求項２記載の集合玄関機。
【請求項４】
該キートップの該制限手段が該キートップの該押動部にその押動方向側方に向けて突出して設けられた係合部であり、該係合部はその移動軌跡上に設けられたストッパ部に係合するものであり、該キートップの該押動部は、その押動方向への移動が該ストッパ部により係止され、その押動範囲が制限されるものであることを特徴とする請求項３記載の集合玄関機。
【請求項５】
本体と、該本体に取り付けらるカバーと、テンキー装置とを備えた集合玄関機において、
該テンキー装置のキートップを該集合玄関機カバーの表面より突出させて設け、該集合玄関機カバー表面に、該キートップの各々の両側又は片側に位置させてリブを設けたことを特徴とする集合玄関機。
【請求項６】
該リブは該集合玄関機カバーの表面より突出して設けられるものであり、その突出量は、該キートップの該集合玄関機カバー表面からの突出量と同じであることを特徴とする請求項５記載の集合玄関機。
【発明の詳細な説明】
【技術分野】
【０００１】
この発明は、テンキー装置を備えた集合玄関機に関する。
【背景技術】
【０００２】
集合住宅等において共同玄関扉等の手前に設置される集合玄関機は、訪問者が訪問先の住戸番号を入力したり、或いは住戸者が自動開錠装置の開錠用暗証番号を入力したりするためのテンキー装置を備えている（例えば、特許文献１参照）。
【特許文献１】特開２０００−２６９６６５号公報
【０００３】
従来のテンキー装置を備えた集合玄関機において、テンキー装置はそのキートップも含め集合玄関機本体に組み付けられており、そしてテンキー装置のキートップは集合玄関機カバーに形成したキートップ用孔部より外部に露出し、且つ集合玄関機カバーの表面より外部に突出している。
【発明の開示】
【発明が解決しようとする課題】
【０００４】
従来のテンキー装置を備えた集合玄関機においては、その組立に際しては、集合玄関機カバーの集合玄関機本体への取り付け時に、集合玄関機本体側のキートップと集合玄関機カバー側のキートップ用孔部との位置合わせの作業、具体的には、各キートップのセンター出しの作業、即ち各キートップの周囲にキートップ用孔部との間のクリアランスを所定通りに確保することができる様に位置出しの作業が必要となる。従って、従来のテンキー装置を備えた集合玄関機は、その施工時においてはその組立の作業が困難であり、又施工後においては、メンテナンス時の再組立の作業が困難であるという問題点が存する。
【０００５】
又、従来のテンキー装置を備えた集合玄関機においては、キートップの押動操作の際に、押し過ぎにより、テンキー装置基板上のスイッチ部に損傷を与えてしまうことがあるという問題点が存し、又斜めへの押し過ぎにより、キートップがキートップ用孔部内に沈み込んで、孔部内側に引っ掛かってしまい、平常位置まで復帰できなくなってしまうことがあるという問題点も存する。
【０００６】
又、従来のテンキー装置を備えた集合玄関機においては、キートップの破損等によりその交換の必要が生じた場合は、精密機器であるテンキー装置において部品交換の作業が必要となり、その作業が困難であるという問題点が存する。
【０００７】
更に、従来のテンキー装置を備えた集合玄関機においては、上記の様に、キートップが集合玄関機カバーの表面より外部に突出しているが、これにより押動操作が容易になるという利点が得られる一方で、押し間違いによるキートップの誤操作が生じ易く、更に集合玄関機が斜めに設置された自立型のものである場合は、操作者が荷物を集合玄関機の上に載せることによるキートップの誤操作が生じ易いという問題点が存する。
【０００８】
この発明は、上記事情に鑑み、テンキー装置を備えた集合玄関機において、組立作業を容易にすることができる様にし、施工作業及びメンテナンス作業を容易にすることができる様にすることを目的とする。
【０００９】
又、この発明は、上記事情に鑑み、テンキー装置を備えた集合玄関機において、集合玄関機カバーの集合玄関機本体への取付作業を容易にすることができる様にすることを目的とする。
【００１０】
又、この発明は、上記事情に鑑み、テンキー装置を備えた集合玄関機において、キートップの押し過ぎを防止することができる様にすることを目的とする。
【００１１】
又、この発明は、上記事情に鑑み、テンキー装置を備えた集合玄関機において、テンキー装置におけるキートップの交換作業を容易にすることができる様にするこを目的とする。
【００１２】
又、この発明は、上記事情に鑑み、テンキー装置を備えた集合玄関機において、テンキー装置におけるキートップの押動操作を容易にすることができる様にしつつ、キートップの誤操作を防止することができる様にするこを目的とする。
【課題を解決するための手段】
【００１３】
上記目的を達成するこの発明について述べれば、次の通りである。
【００１４】
この発明は、本体と、該本体に取り付けらるカバーと、テンキー装置とを備えた集合玄関機において、該テンキー装置のキートップを、該テンキー装置本体より分離して設けると共に、該集合玄関機カバーの裏面側に取り付けたことを特徴とする集合玄関機である。
【００１５】
又、この発明は、前記集合玄関機において、該キートップが、該キートップを所定の配置で保持する取付ベースを介して該集合玄関機カバーの裏面側に取り付けられるものであることを特徴とする集合玄関機である。
【００１６】
又、この発明は、前記集合玄関機において、該キートップが、その押動範囲を制限する制限手段を有するものであることを特徴とする集合玄関機である。
【００１７】
又、この発明は、前記集合玄関機において、該キートップが、その裏面側に押動部を有し、該押動部を介して該テンキー装置本体の受動部を押動するものであり、該押動範囲の制限手段が、該押動部の押動範囲を制限するものであることを特徴とする集合玄関機である。
【００１８】
又、この発明は、前記集合玄関機において、該キートップの該制限手段が該キートップの該押動部にその押動方向側方に向けて突出して設けられた係合部であり、該係合部はその移動軌跡上に設けられたストッパ部に係合するものであり、該キートップの該押動部は、その押動方向への移動が該ストッパ部により係止され、その押動範囲が制限されるものであることを特徴とする集合玄関機である。
【００１９】
又、この発明は、前記集合玄関機において、該ストッパ部が、該取付ベースの裏面側より、該取付ベースを該キートップと共に保持しつつ、該集合玄関機カバーの裏面側に取り付ける押さえ板であることを特徴とする集合玄関機である。
【００２０】
又、この発明は、前記集合玄関機において、該キートップの押動操作時に、該集合玄関機カバーの裏面と接触する受圧部を該集合玄関機本体側に該テンキー装置本体に近接させて設けたことを特徴とする集合玄関機である。
【００２１】
又、この発明は、本体と、該本体に取り付けらるカバーと、テンキー装置とを備えた集合玄関機において、該テンキー装置のキートップを該集合玄関機カバーの表面より突出させて設け、該集合玄関機カバー表面に、該キートップの各々の両側又は片側に位置させてリブを設けたことを特徴とする集合玄関機である。
【００２２】
又、この発明は、該リブが該集合玄関機カバーの表面より突出して設けられるものであり、その突出量は、該キートップの該集合玄関機カバー表面からの突出量と同じであることを特徴とする集合玄関機である。
【発明の効果】
【００２３】
この発明によれば、テンキー装置のキートップを、テンキー装置本体より分離して設けると共に、集合玄関機カバーの裏面側に取り付けるものとすることで、集合玄関機カバーを集合玄関機本体へ取り付ける際に、上記従来の集合玄関機の如き位置合わせの作業をする必要をなくすことができるので、上記従来の集合玄関機に比して、集合玄関機カバーの集合玄関機本体への取付作業を容易にすることができ、それにより、組立作業を容易にすることができ、施工作業及びメンテナンス作業を容易にすることができる。
【００２４】
又、この発明によれば、キートップをその押動範囲を制限する制限手段を有するものとすることで、キートップの押し過ぎを防止することができる。
【００２５】
又、この発明によれば、キートップが破損等により交換の必要が生じた場合でも、その交換作業は容易であり、精密機器であるテンキー装置本体における部品交換の作業の必要をなくすことができる。
【００２６】
又、この発明によれば、テンキー装置のキートップを集合玄関機カバーの表面より突出させて設け、集合玄関機カバー表面にキートップの各々の両側又は片側に位置させてリブを設けることで、隣接するキートップ間の押し間違いをリブにより防止することができ、又集合玄関機上に荷物が載せられたとしてもリブによりキートップが押動されるのを防止することができるので、キートップの押動操作を容易にすることができつつ、キートップの誤操作を防止することができる。
【発明を実施するための最良の形態】
【００２７】
この発明の実施の形態を添付図１乃至図６に基づき説明する。尚、図１は、この発明の集合玄関機を構成するカバーと本体との分解図であり、図２は、同上のカバーとキートップ部との分解図であり、図３は、同上のキートップが取り付けられた状態におけるカバーの正面図であり、図４は、同上のキートップ部が取り付けられた状態におけるカバーの背面図であり、図５は、図４の一部拡大図であり、図６は、（ａ），（ｂ）何れも図３のＡ−Ａ線断面図であり、（ａ）がキートップが押動されていない平常時の状態を示し、（ｂ）がキートップが押動されている押動時の状態を示す図であり、図７は、図１におけるカバーの一部拡大図である。
【００２８】
図１において、１は集合玄関機であり、カバー２と本体３とからなる。本体３には、スピーカボックス４に隣接してテンキー装置本体５が組み付けられている。テンキー装置本体５は、基板上に受動部の一例としてのラバーボタン５ａを所定の数及び配置で載置してなる。
【００２９】
図２及び図３に示す様に、カバー２は、テンキー装置本体５より分離して設けられると共に、カバー２の裏面２ｂ側に取り付けられるキートップ部６を有している。キートップ部６は、所定の数のキートップ６ａと、各キートップ６ａを所定の配置で保持する取付ベース７と、取付ベース７をその裏面側より保持する押さえ板８とからなる。カバー２にはその裏面２ｂ側にキートップ取付部２ｃが設けられており、キートップ取付部２ｃには、各キートップ６ａの数、大きさ、及び配置に対応してキートップ用通孔部２ｄが形成されている。キートップ部６は、各キートップ６ａをキートップ用通孔部２ｄを介してカバー２の表面２ａより外部に突出させた状態で、カバー２のキートップ取付部２ｃに取り付けられており、押さえ板８がカバー２のキートップ取付部２ｃに螺子８ｃ止めされることにより固定される。
【００３０】
図４及び図５に示す様に、各キートップ６ａはその裏面側に、一枚の横方向長板６ｂ及び２枚の縦方向短板６ｃからなる平面視略格子状の押動部６ｄを有しており、押さえ板８には、各キートップ６ａの押動操作時に、各押動部６ｄが通過する押動部用通孔部８ａが、押動部６ｄの数、大きさ、及び配置に対応して形成されている。
【００３１】
各キートップ６ａにおいて、各押動部６ｄは、図６（ａ）の平常時の状態，図６（ｂ）の押動操作時の状態を示す断面図にその詳細を示す様に、各押動部６ｄが、各キートップ６ａの押動操作により押動し、その平面視略格子状の先端押圧部６ｅが押さえ板８の各押動部用通孔部８ａを通過して、テンキー装置本体５の基板５ｂ上の各ラバーボタン５ａを押圧することで、テンキー装置本体５のスイッチ部５ｃのスイッチングができる様になっている。
【００３２】
この様に、各キートップ６ａを、テンキー装置本体５より分離して設けると共に、カバー２の裏面２ｂ側に取り付けるものとすることで、カバー２を本体３へ取り付ける際に、各キートップ６ａの位置合わせの作業をする必要をなくすことができるので、カバー２の本体３への取付作業を容易にすることができ、それにより、集合玄関機１の組立作業を容易にすることができることから、集合玄関機１の施工作業及びメンテナンス作業を容易にすることができる。
【００３３】
又、同じく図６（ａ），図６（ｂ）にその詳細を示す様に、キートップ部６は、各キートップ６ａの各押動部６ｄの押動範囲を制限する制限手段を有しており、即ち、各押動部６ｄの押動方向に対して側方に向けて突出して設けられた係合部６ｆ、本実施の形態においては、押動部６ｄにおける横方向長板６ｂの横方向に突出して設けられた係合部６ｆと、その係合部６ｆの移動軌跡上に設けられたストッパ部８ｂ、本実施の形態においては、押さえ板８の押動部用通孔部８ａの開孔縁部であるストッパ部８ｂとを有しており、各押動部６ｄの押動方向への移動は、各係合部６ｆが各ストッパ部８ｂに係合することにより係止され、その押動範囲が制限される様になっている。
【００３４】
この様に、キートップ部６を、各キートップ６ａの押動範囲を制限する制限手段を有するものとすることで、各キートップ６ａの押し過ぎを防止することができ、各キートップ６ａの押し過ぎにより、スイッチ部５ｃに損傷を与えることを防止することができ、又各キートップ６ａの斜めへの押し過ぎにより、各キートップ６ａがキートップ用通孔部２ｄ内に沈み込んで、その通孔部２ｄの内側に引っ掛かり、平常位置まで復帰できなくなることを防止することができる。キートップ部６の短板６ｃと長板６ｂは、押さえ板８の押動部用通孔部８aの大きさとほぼ同じにしているため、押動部６ｄが押動部用通孔部８aを通過する際のガイドになり、キートップ６ａが斜めにすれたりすることがない。
【００３５】
更に、本体３には、テンキー装置本体５の近傍、本実施の形態においては、テンキー装置本体５に隣接する位置に、各キートップ６ａの押動操作時において、カバー２の裏面２ｂと接触し、カバー２に掛かる押圧力を受圧して、その余分な圧力を本体３側に逃がすためのバッファ手段、本実施の形態においては、スピーカボックス４の表面に形成され、カバー２に掛かる押圧力を面として受圧する受圧部４ａが設けられている。このバッファ手段としての受圧部４ａをテンキー装置本体５の近傍に設けることで、キートップ部６をカバー２側に設けていても、各キートップ６ａの押動操作の際に、各キートップ６ａの押動と共に、その押動方向へカバー２が撓むのを制限することができ、これによっても各キートップ６ａの押し過ぎを防止することができる。
【００３６】
又更に、集合玄関機１において、キートップ部６における各キートップ６ａは、カバー２の表面２ａより外部に突出して設けられているが、図７にその詳細を示す様に、カバー２の表面２ａには、各キートップ６ａの突出部分に隣接して横方向両側又は片側に位置するリブ９が設けられており、各リブ９のカバー２の表面２ａからの突出量は、各キートップ６ａの突出量と同じである。これにより、各キートップが同時に押されたりせず、各キートップ６ａを個々に確実に押動させることができ、又、隣接するキートップ６ａ間の押し間違いを防止することができ、又、集合玄関機１が自立型である場合に、集合玄関機１上に荷物が載せられたとしても、キートップ６ａが不意に押動されるのを防止することができ、又、各キートップ６ａの押動を各リブ９によってガイドさせることができ、横方向斜めへの押動を防ぐことができる。
【図面の簡単な説明】
【００３７】
【図１】この発明の集合玄関機を構成するカバーと本体との分解図である。
【図２】同上の集合玄関におけるカバーとキートップ部との分解図である。
【図３】同上の集合玄関機におけるキートップ部が取り付けられた状態のカバーの正面図である。
【図４】同上の集合玄関機におけるキートップ部が取り付けられた状態のカバー背面図である。
【図５】図４の一部拡大図である。
【図６】（ａ），（ｂ）何れも図１のＡ−Ａ線断面図であり、（ａ）はキートップが押動されていない平常時の状態を示し、（ｂ）はキートップが押動されている押動時の状態を示す図である。
【図７】図１におけるカバーの一部拡大図である。
【符号の説明】
【００３８】
１      集合玄関機
２      カバー
２ａ    表面
２ｂ    裏面
２ｃ    キートップ用取付部
２ｄ    キートップ用通孔部
３      本体
４      スピーカボックス
４ａ    受圧部
５      テンキー装置本体
５ａ    ラバーボタン
５ｂ    基板
５ｃ    スイッチ部
６      キートップ部
６ａ    キートップ
６ｂ    横方向長板
６ｃ    縦方向短板
６ｄ    押動部
６ｅ    先端押圧部
６ｆ    係合部
７      取付ベース
８      押さえ板
８ａ    押動部用通孔部
８ｂ    ストッパ部
８ｃ    螺子
９      リブ
【図１】
2006286426.tif 000003
【図２】
2006286426.tif 000004
【図３】
2006286426.tif 000005
【図４】
2006286426.tif 000006
【図５】
2006286426.tif 000007
【図６】
2006286426.tif 000008
【図７】
2006286426.tif 000009